(57)【要約】  デブリブロワー（１）は、ハウジング（３）、ハウジング（３）に配置されたファンアセンブリ（５）、出口ダクト（７）、および動作中のデブリブロワー（１）の振動を低減するように構成された少なくとも１つの隔離要素（９、９’、９”、９’’’）を備える。ファンアセンブリ（５）は、少なくとも１つの隔離要素（９、９’、９”、９’’’）を介して出口ダクト（７）に対して完全に吊り下げられている。
2021521374.tif 000002
【特許請求の範囲】
【請求項１】
デブリブロワー（１）であって、
ハウジング（３）と、
前記ハウジング（３）内に配置されたファンアセンブリ（５）と、
出口ダクト（７）と、
動作中の前記デブリブロワー（１）の振動を低減するよう構成された少なくとも１つの隔離要素（９，９’，９”，９’’’）と、
を備え、
前記ファンアセンブリ（５）は、前記少なくとも１つの隔離要素（９，９’，９”，９’’’）を介して前記出口ダクト（７）に対して完全に吊り下げされられている、デブリブロワー（１）。
【請求項２】
前記ファンアセンブリ（５）が前記少なくとも１つの隔離要素（９，９’，９”，９’’’）を介して前記ハウジング（３）に対して完全に吊り下げされている、請求項１に記載のデブリブロワー（１）。
【請求項３】
前記出口ダクト（７）が前記ハウジング（３）にしっかり取り付けられている、請求項２に記載のデブリブロワー（１）。
【請求項４】
前記ファンアセンブリ（５）がファンダクト（１１）および前記ファンダクト（１１）内に配置されたファン（１３）を備え、前記少なくとも１つの隔離要素（９，９’，９”，９’’’）が前記ファンダクト（１１）および前記出口ダクト（７）の間に延在する少なくとも１つのファン出口隔離要素（９）を備える、請求項１〜３のいずれか一項に記載のデブリブロワー（１）。
【請求項５】
前記少なくとも１つのファン出口隔離要素（９）の内面（９．１）が、前記デブリブロワー（１）を通る空気流路（１５）の一部の境界を定めている、請求項４に記載のデブリブロワー（１）。
【請求項６】
前記少なくとも１つのファン出口隔離要素（９）の前記内面（９．１）が、前記ファンダクト（１１）の内面（１１．１）から前記少なくとも１つのファン出口隔離要素（９）の前記内面（９．１）への移行領域（１５’）において、前記ファンダクト（１１）の内面（１１．１）と同一平面上にある、請求項５に記載のデブリブロワー（１）。
【請求項７】
前記デブリブロワー（１）が入口ダクト（１７）を備え、前記ファンアセンブリ（５）が前記少なくとも１つの隔離要素（９，９’，９”，９’’’）を介して前記入口ダクト（１７）に対して完全に吊り下げされている、請求項１〜６のいずれか一項に記載のデブリブロワー（１）。
【請求項８】
前記入口ダクト（１７）が空気入口スクリーン（１９）を備える、請求項７に記載のデブリブロワー（１）。
【請求項９】
前記入口ダクト（１７）が前記ハウジング（３）にしっかり取り付けられている、請求項７または８に記載のデブリブロワー（１）。
【請求項１０】
前記ファンアセンブリ（５）がファンダクト（１１）および前記ファンダクト（１１）内に配置されたファン（１３）を備え、前記少なくとも１つの隔離要素（９，９’，９”，９’’’）が前記入口ダクト（１７）および前記ファンダクト（１１）の間に延在する少なくとも１つのファン入口隔離要素（９’）を備える、請求項７〜９のいずれか一項に記載のデブリブロワー（１）。
【請求項１１】
前記少なくとも１つのファン入口隔離要素（９’）の内面（９．２）が前記デブリブロワー（１）を通る空気流路（１５）の一部の境界を定めている、請求項１０に記載のデブリブロワー（１）。
【請求項１２】
前記少なくとも１つのファン入口隔離要素（９’）の前記内面（９．２）が、前記少なくとも１つのファン入口隔離要素（９’）の前記内面（９．２）から前記ファンダクト（１１）の内面（１１．１）への移行領域（１５”）において、前記ファンダクト（１１）の内面（１１．１）と同一平面上にある、請求項１１に記載のデブリブロワー（１）。
【請求項１３】
前記少なくとも１つの隔離要素（９，９’，９”，９’’’）が前記ファンアセンブリ（５）の外周の少なくとも一部を囲む円周方向隔離要素（９”）を備える、請求項１〜１２のいずれか一項に記載のデブリブロワー（１）。
【請求項１４】
前記少なくとも１つのファン出口隔離要素（９）の少なくとも一部、前記少なくとも１つのファン入口隔離要素（９’）、および／または前記円周方向隔離要素（９”）が前記ハウジング（３）および前記ファンアセンブリ（５）の間に圧入されている、請求項４および１０を引用する場合の請求項１３に記載のデブリブロワー（１）。
【請求項１５】
前記デブリブロワー（１）が、前記円周方向隔離要素（９”）の少なくとも１セクション、前記ファン出口隔離要素（９）の少なくとも１セクション、および前記ファン入口隔離要素（９’）の少なくとも１セクションをそれぞれ備える隔離材料の１または複数の連続部品（２１’，２１”）を備える、請求項４および１０を引用する場合の請求項１３、または請求項１４に記載のデブリブロワー（１）。
【請求項１６】
前記少なくとも１つの隔離要素（９，９’，９”，９’’’）が前記出口ダクト（７）の内面（７．１）を覆う出口ダクト被覆加工部（９’’’）を備える、請求項１〜１５のいずれか一項に記載のデブリブロワー（１）。
【請求項１７】
前記デブリブロワー（１）が前記ファン出口隔離要素（９）の少なくとも１セクション、および前記出口ダクト被覆加工部（９’’’）の少なくとも１セクションをそれぞれ備える隔離材料の１または複数の連続部品（２１’，２１”）を備える、請求項４を引用する請求項１６に記載のデブリブロワー（１）。
【請求項１８】
前記デブリブロワー（１）が、前記ファン出口隔離要素（９）の少なくとも１セクション、前記ファン入口隔離要素（９’）の少なくとも１セクション、前記円周方向隔離要素（９”）の少なくとも１セクション、および前記出口ダクト被覆加工部（９’’’）の少なくとも１セクションをそれぞれ備える隔離材料の１または複数の連続部品（２１’，２１”）備える、請求項４、１０、１３を引用する請求項１６に記載のデブリブロワー（１）。
【請求項１９】
隔離材料の前記１または複数の連続部品（２１’，２１”）が共に管状構造（２１）を形成し、前記管状構造（２１）の内面（２１．１）が第１の凹部（２３）を備え、前記ファンアセンブリ（５）が前記第１の凹部（２３）にぴったり保持される、請求項１５または１８に記載のデブリブロワー（１）。
【請求項２０】
隔離材料の前記１または複数の連続部品（２１’，２１”）が共に管状構造（２１）を形成し、前記管状構造（２１）の内面（２１．１）が第２の凹部（２３’）を備え、前記入口ダクト（１７）の少なくとも一部が前記第２の凹部（２３’）にぴったり保持される、請求項１５，１８または１９に記載のデブリブロワー（１）。
【請求項２１】
隔離材料の前記１または複数の連続部品（２１’，２１”）が共に管状構造（２１）を形成し、前記管状構造（２１）が第３の凹部（２３”）を備え、前記出口ダクト（７）の少なくとも一部が前記第３の凹部（２３”）にしっかり保持される、請求項１５，１７，１８，１９または２０に記載のデブリブロワー（１）。
【請求項２２】
前記少なくとも１つの隔離要素（９，９’，９”，９’’’）が発泡ゴムを備える、請求項１〜２１のいずれか一項に記載のデブリブロワー（１）。
【請求項２３】
前記発泡ゴムの厚さが７ｍｍ〜５０ｍｍの範囲、例えば１０ｍｍ〜３５ｍｍの範囲である、請求項２２に記載のデブリブロワー（１）。
【請求項２４】
前記ファンアセンブリ（５）が軸流ファンアセンブリ（５）である、請求項１〜２３のいずれか一項に記載のデブリブロワー（１）。
【請求項２５】
前記ファンアセンブリ（５）がファン（１３）および前記ファン（１３）を回転するよう構成された電気モーター（２５）を備える、請求項１〜２４のいずれか一項に記載のデブリブロワー（１）。
【発明の詳細な説明】
【技術分野】
【０００１】
本開示は、手持ちのデブリブロワーおよびバックパックデブリブロワーなどのデブリブロワーに関する。
【背景技術】
【０００２】
デブリブロワーは、空気を出口から排出して、葉、刈り取った草、ほこりなどのデブリを移動させるツールである。デブリブロワーは、電気モーターや燃焼エンジンなどのモーターを動力源とするファンを備える。デブリブロワーは通常、自己完結型の手持ちユニットであるか、または手持ち出口ノズルを備えたバックパックに取り付けられたユニットである。電気モーターを備えるデブリブロワーは、通常、電気モーターに電力を供給するように構成された１つまたは複数のバッテリーを備える。
【０００３】
デブリブロワーのファンの駆動には多くのエネルギーが必要であり、デブリブロワーのファンは、高出力レベルで動作する。その結果、騒音や振動がデブリブロワーに関連する問題となっている。
【０００４】
電動デブリブロワー、すなわち電気モーターを動力源とするファンを含むデブリブロワーは、一般に、燃焼エンジンを動力源とするファンを含むデブリブロワーよりも騒音および振動が少ない。ただし、電動デブリブロワーも不要なレベルの騒音と振動を発生させるため、騒音と振動も電動デブリブロワーに関連する問題となっている。
【０００５】
さらに、今日の市場では、デブリブロワーなどの製品を費用効果の高い方法で提供できると有利である。
【発明の概要】
【発明が解決しようとする課題】
【０００６】
本発明の目的は、上記の問題および欠点の少なくともいくつかを克服するか、または少なくとも軽減することである。
【課題を解決するための手段】
【０００７】
本発明の一態様によれば、目的は、ハウジング、ハウジング内に配置されたファンアセンブリ、出口ダクト、および動作中のデブリブロワーの振動を低減するように構成された少なくとも１つの隔離要素を含むデブリブロワーによって達成される。ファンアセンブリは、少なくとも１つの隔離要素を介して出口ダクトに対して完全に吊り下げられている。
【０００８】
ファンアセンブリは、少なくとも１つの隔離要素を介して出口ダクトに対して完全に吊り下げられているため、動作中の騒音が少ないデブリブロワーが提供される。これは、ファンアセンブリによって生成された騒音と振動のごく一部のみが、デブリブロワーの動作中に出口ダクトに伝達されるためである。
【０００９】
さらに、ファンアセンブリは、少なくとも１つの隔離要素を介して出口ダクトに対して完全に吊り下げられているので、より少ない振動を生成し得、より少ない量の振動がデブリブロワーを使用する人に伝達され得るデブリブロワーが提供される。
【００１０】
したがって、デブリブロワーは、上記の問題および欠点の少なくともいくつかを克服するか、または少なくとも軽減するように提供される。その結果、上記の目的が達成される。
【００１１】
任意選択で、ファンアセンブリは、少なくとも１つの隔離要素を介してハウジングに対して完全に吊り下げられる。これにより、動作中の騒音がさらに少ないデブリブロワーが提供される。これは、ファンアセンブリによって生成された騒音と振動のごく一部のみが、デブリブロワーの動作中にハウジングに伝達されるためである。
【００１２】
加えて、さらにより少ない振動を生成し得、さらにより少ない量の振動がデブリブロワーを使用する人に伝達され得るデブリブロワーが提供される。
【００１３】
任意選択で、出口ダクトはハウジングにしっかりと取り付けられる。これにより、動作中の騒音や振動を低減できる堅牢なデブリブロワーが提供される。
【００１４】
任意選択で、ファンアセンブリは、ファンダクトおよびファンダクト内に配置されたファンを備え、少なくとも１つの隔離要素は、ファンダクトと出口ダクトとの間に延びる少なくとも１つのファン出口隔離要素を備える。これにより、動作中の騒音や振動を簡単かつ効率的に低減させるデブリブロワーが提供される。さらなる結果として、簡単で費用効果の高い方法で製造および組み立てられるのに適した条件および特性を備えたデブリブロワーが提供される。
【００１５】
任意選択で、少なくとも１つのファン出口隔離要素の内面は、デブリブロワーを通る空気流路の一部を区切る。これにより、動作中の騒音や振動の発生がさらに少ないデブリブロワーが提供される。これは、少なくとも１つのファン出口隔離要素が、空気流路内の乱気流に起因する音と振動、およびファンに起因する音と振動を少なくとも部分的に減衰させるためである。さらに、簡単で費用対効果の高い方法で製造および組み立てるのに適した条件と特性を備えたデブリブロワーが提供される。
【００１６】
任意選択で、少なくとも１つのファン出口隔離要素の内面は、ファンダクトの内面から少なくとも１つのファン出口隔離要素の内面への移行領域において、ファンダクトの内面と同一平面上にある。これにより、空気流路を通る流れ抵抗が低く保たれ、ファンアセンブリのエネルギー消費を削減できる可能性がある。さらに、空気流路内の乱気流に起因する音や振動が低減される場合がある。
【００１７】
任意選択で、デブリブロワーは、入口ダクトを備え、ファンアセンブリは、少なくとも１つの隔離要素を介して入口ダクトに対して完全に吊り下げられている。これにより、動作中の騒音や振動の発生がさらに少ないデブリブロワーが提供される。これは、ファンアセンブリによって生成された騒音と振動のごく一部のみが、デブリブロワーの動作中に入口ダクトに伝達されるためである。
任意選択で、入口ダクトはハウジングにしっかりと取り付けられる。これにより、動作中の騒音や振動を低減できる堅牢なデブリブロワーが提供される。
【００１８】
任意選択で、ファンアセンブリは、ファンダクトおよびファンダクト内に配置されたファンを備え、少なくとも１つの隔離要素は、入口ダクトとファンダクトとの間に延びる少なくとも１つのファン入口隔離要素を備える。これにより、動作中の騒音や振動を簡単かつ効率的に低減するデブリブロワーが提供される。さらなる結果として、簡単で費用効果の高い方法で製造および組み立てられるのに適した条件および特性を備えたデブリブロワーが提供される。
【００１９】
任意選択で、少なくとも１つのファン入口隔離要素の内面は、デブリブロワーを通る空気流路の一部を区切る。これにより、動作中の騒音や振動の発生がさらに少ないデブリブロワーが提供される。これは、少なくとも１つのファン入口隔離要素が、空気流路内の乱気流に起因する音と振動、およびファンに起因する音と振動を少なくとも部分的に減衰させるためである。さらに、簡単で費用対効果の高い方法で製造および組み立てるのに適した条件と特性を備えたデブリブロワーが提供される。
【００２０】
任意選択で、少なくとも１つのファン入口隔離要素の内面は、少なくとも１つのファン入口隔離要素の内面からファンダクトの内面への移行領域において、ファンダクトの内面と同一平面上にある。これにより、空気流路を通る流れ抵抗が低く保たれ、ファンアセンブリのエネルギー消費を削減できる可能性がある。さらに、空気流路内の乱気流に起因する音や振動が低減される場合がある。
【００２１】
任意選択で、少なくとも１つの隔離要素は、ファンアセンブリの円周の少なくとも一部を取り囲む円周方向隔離要素を備える。これにより、動作中の騒音や振動の発生がさらに少ないデブリブロワーが提供される。これは、円周方向隔離要素が、ファンアセンブリによって生成される騒音と振動を少なくとも部分的に減衰させるためである。そのさらなる結果として、デブリブロワーを使用している人に伝達される振動が少なくなる可能性がある。
【００２２】
任意選択で、少なくとも１つのファン出口隔離要素、少なくとも１つのファン入口隔離要素、および／または円周隔離要素の少なくとも一部は、ハウジングとファンアセンブリとの間に圧入される。これにより、騒音や振動を簡単かつ効率的に減衰させることができる頑丈なデブリブロワーが提供される。さらに、簡単で費用対効果の高い方法で製造および組み立てるのに適した条件と特性を備えたデブリブロワーが提供される。
【００２３】
任意選択で、デブリブロワーは、円周方向隔離要素の少なくとも１セクション、ファン出口隔離要素の少なくとも１セクション、およびファン入口隔離要素の少なくとも１セクションをそれぞれ備える１つまたは複数の連続した隔離材料片を含む。これにより、動作中の騒音や振動をさらに低減できるデブリブロワーが提供される。これは、隔離要素が共にデブリブロワーの構成要素の大部分をカバーする可能性があるためである。さらに、簡単で費用対効果の高い方法で製造および組み立てるのに適した条件と特性を備えたデブリブロワーが提供される。
【００２４】
任意選択で、少なくとも１つの隔離要素は、出口ダクトの内面を覆う出口ダクト被覆加工部を含む。これにより、動作中の騒音や振動の発生がさらに少ないデブリブロワーが提供される。これは、出口ダクト被覆加工部が、出口ダクト内の乱気流に起因する音と振動、およびファンに起因する音と振動を少なくとも部分的に減衰させるためである。さらなる結果として、出口ダクトの外面に伝わる振動が少なくなり、デブリブロワーから発生する騒音や振動の量をさらに減らすことができる。さらに、簡単で費用対効果の高い方法で製造および組み立てるのに適した条件と特性を備えたデブリブロワーが提供される。
【００２５】
任意選択で、デブリブロワーは、ファン出口隔離要素の少なくとも１セクションおよび出口ダクト被覆加工部の少なくとも１セクションをそれぞれ備える１つまたは複数の連続した隔離材料片を備える。これにより、動作中の騒音や振動をさらに低減できるデブリブロワーが提供される。これは、隔離要素が共にデブリブロワーの構成要素の大部分をカバーする可能性があるためである。さらに、簡単で費用対効果の高い方法で製造および組み立てるのに適した条件と特性を備えたデブリブロワーが提供される。
【００２６】
任意選択で、デブリブロワーは、ファン出口隔離要素の少なくとも１セクション、ファン入口隔離要素の少なくとも１セクション、円周方向隔離要素の少なくとも１セクション、および出口ダクト被覆加工部の少なくとも１セクションをそれぞれ備える１つまたは複数の連続した隔離材料片を備える。これにより、動作中の騒音や振動をさらに低減できるデブリブロワーが提供される。これは、隔離要素が共にデブリブロワーの構成要素の大部分をカバーする可能性があるためである。さらに、簡単で費用対効果の高い方法で製造および組み立てるのに適した条件と特性を備えたデブリブロワーが提供される。
【００２７】
任意選択で、隔離材料の１つまたは複数の連続部品が共に管状構造を形成し、管状構造の内面は、第１の凹部を含み、ファンアセンブリは、第１の凹部にぴったりと保持される。これにより、動作中の騒音や振動をさらに低減できるデブリブロワーが提供される。これは、管状構造がファンアセンブリのほぼ全周をカバーするためである。これにより、ハウジングに伝わる騒音や振動が少なくなる。さらに、デブリブロワーを使用している人に伝わる振動が少なくなる可能性がある。さらに、簡単で費用対効果の高い方法で製造および組み立てるのに適した条件と特性を備えたデブリブロワーが提供される。
【００２８】
任意選択で、隔離材料の１つまたは複数の連続部品が共に管状構造を形成し、管状構造の内面は第２の凹部を備え、入口ダクトの少なくとも一部が第２の凹部にぴったりと保持される。これにより、動作中の騒音や振動をさらに低減できるデブリブロワーが提供される。これは、管状構造が実質的に入口ダクトの全周をカバーするためである。したがって、入口ダクトに伝達される騒音と振動がより少なくなる。さらに、デブリブロワーを使用している人に伝わる振動が少なくなる可能性がある。さらに、簡単で費用対効果の高い方法で製造および組み立てるのに適した条件と特性を備えたデブリブロワーが提供される。
【００２９】
任意選択で、隔離材料の１つまたは複数の連続部品が共に管状構造を形成し、管状構造の内面は第３の凹部を備え、出口ダクトの少なくとも一部が第３の凹部にぴったりと保持される。これにより、動作中の騒音や振動をさらに低減できるデブリブロワーが提供される。これは、管状構造が実質的に出口ダクトの全周をカバーするためである。これにより、出口ダクトに伝わる騒音や振動が少なくなる。さらに、デブリブロワーを使用している人に伝わる振動が少なくなる可能性がある。さらに、簡単で費用対効果の高い方法で製造および組み立てるのに適した条件と特性を備えたデブリブロワーが提供される。
【００３０】
任意選択で、少なくとも１つの隔離要素は発泡ゴムを含む。これにより、デブリブロワーから発生する騒音や振動が効率よく低減される。したがって、動作中の騒音や振動をさらに少なくすることができるデブリブロワーが提供される。さらに、デブリブロワーを使用している人に伝わる振動がさらに少なくなる可能性があります。さらに、簡単で費用対効果の高い方法で製造および組み立てるのに適した条件と特性を備えたデブリブロワーが提供される。
【００３１】
任意選択で、発泡ゴムの厚さは、１０ｍｍ〜３５ｍｍの範囲内など、７ｍｍ〜５０ｍｍの範囲内である。これにより、デブリブロワーから発生する騒音や振動が効率よく低減される。したがって、動作中の騒音や振動をさらに少なくすることができるデブリブロワーが提供される。さらに、デブリブロワーを使用している人に伝わる振動がさらに少なくなる可能性がある。
【００３２】
任意選択で、ファンアセンブリは軸流ファンアセンブリである。これにより、動作中の騒音や振動を低減できる簡単で効率的なデブリブロワーが提供される。さらに、簡単で費用対効果の高い方法で製造および組み立てるのに適した条件と特性を備えたデブリブロワーが提供される。
【００３３】
任意選択で、ファンアセンブリは、ファンと、ファンを回転させるように構成された電気モーターとを備える。これにより、動作中の騒音や振動を低減できる環境にやさしいデブリブロワーが提供される。
【００３４】
本発明のさらなる特徴および利点は、添付の特許請求の範囲および以下の詳細な説明を研究するときに明らかになるであろう。
【００３５】
特定の特徴および利点を含む本発明の様々な態様は、以下の詳細な説明および添付の図面で論じられる例示的な実施形態から容易に理解され得るだろう。
【図面の簡単な説明】
【００３６】
【図１】いくつかの実施形態によるデブリブロワーを示す。
【図２】図１に示されるデブリブロワーのハウジングを通る断面を概略的に示す。
【図３】いくつかのさらなる実施形態による、デブリブロワーのハウジングを通る断面を概略的に示す。
【図４】図３に示される実施形態によるデブリブロワーの管状構造の断面を示す。
【図５】いくつかのさらなる実施形態によるデブリブロワーのハウジングを通る断面を概略的に示す。
【図６】図５に示される実施形態によるデブリブロワーの管状構造の断面を示す。
【発明を実施するための形態】
【００３７】
次に、本発明の態様をより完全に説明する。同様の数字は、全体を通して同様の要素を指す。よく知られている機能や構造は、簡潔さや明確さのために必ずしも詳細に説明されているわけではない。
【００３８】
図１は、いくつかの実施形態によるデブリブロワー１を示す。デブリブロワー１は、ハウジング３と、ハウジング３に接続された入口ダクト１７および出口ダクト７とを備える。デブリブロワー１は、ハウジング３に配置されたファンアセンブリ５をさらに備える。ファンアセンブリ５は、ファン１３と、ファン１３を回転させて入口ダクト１７から出口ダクト７への空気の流れを生成するように構成されたモーター２５とを備える。図示の実施形態によれば、デブリブロワー１は、出口ダクト７に接続された出口ノズル２を備える。出口ノズル２には、柔軟なベローズ部分４が設けられている。さらに、図示の実施形態によれば、デブリブロワー１は、デブリブロワー１の上部にハンドル部分６を備える。ハンドル部分６は、デブリブロワー１が使用されていない場合のデブリブロワー１の移送を容易にする。図示の実施形態によれば、モーター２５は、電気モーターである。デブリブロワー１は、バッテリー３７を収容する第２のハウジング８と、ハウジング３および第２のハウジング８を支持するフレーム１０とを備える。バッテリー３７は、デブリブロワー１の動作中に電気モーター２５に電力を供給するように構成された充電式バッテリーである。図示の実施形態によれば、デブリブロワー１は、バックパックに取り付けられたデブリブロワーであり、庭のメンテナンスのためのバックパックデブリブロワーと呼ばれることがある。デブリブロワー１は、フレーム１０に接続されたショルダーストラップを備える。ショルダーストラップは図１では見えない。ショルダーストラップにより、ユーザーはデブリブロワー１をユーザーの背中で運ぶことができる。すなわち、図示の実施形態によるデブリブロワー１の使用中、ハウジング３および第２のハウジング８を支持するフレーム１０は、ユーザーの背面に載置され、ユーザーは、手で出口ノズル２をつかむことができ、出口ノズル２から流れる空気を方向付けて、葉、刈り取った草、ほこりなどのデブリを移動させる。
【００３９】
デブリブロワー１は、入口ダクト１７に配置された空気入口スクリーン１９をさらに備える。空気入口スクリーン１９は、特定のサイズを超える物体が入口ダクト１７に入るのを妨げるように配置されている。本開示のさらなる実施形態によれば、本明細書で言及されるデブリブロワー１は、庭のメンテナンスのための携帯型の手持ち式デブリブロワーであり得る。さらに、本開示のいくつかの実施形態によれば、モーター２５は、ファン１３を回転させて、入口ダクト１７から出口ダクト７への空気の流れを生成するように構成された燃焼機関であり得る。そのような実施形態によれば、デブリブロワー１は、バッテリー３７の代わりに燃料タンクを含む。
【００４０】
図２は、図１に示されるデブリブロワー１のハウジング３を通る断面を概略的に示す。デブリブロワーは、動作中のデブリブロワーの振動を低減するように構成された隔離要素９、９’、９”のセットを備える。図示の実施形態によれば、ファンアセンブリ５は、隔離要素９、９’、９”、９’’’のセットを介してハウジング３に対して完全に吊り下げられている。その結果として、ファンアセンブリ５は、隔離要素９、９’、９”のセットを介して、出口ダクト７に対して完全に吊り下げられる。
【００４１】
図２に示される実施形態によれば、出口ダクト７は、ハウジング３にしっかりと取り付けられている。ファンアセンブリ５は、ファンダクト１１と、ファンダクト１１に配置されたファン１３とを備える。さらに、ファンアセンブリ５は、ファン１３を回転させるように構成された電気モーター２５を備える。図示の実施形態によれば、ファンアセンブリ５は軸流ファンアセンブリ５であり、ファンダクト１１は略管状である。
電気モーター２５とファン１３は、電気モーター２５の回転軸とファン１３の回転軸がそれぞれ略管状ファンダクト１１の中心線と同軸になるように配置されている。動作中、電気モーター２５はファン１３を回転させて、デブリブロワーを通る空気流路１５を通る空気の流れを生成する。空気流路１５は、入口ダクト１７の入口からファンダクト１１を通って出口ダクト７の出口まで延びる。電気モーター２５は、ファンダクト１１の内面１１．１およびケーシング２６の間に延びる１つまたは複数の保持部材２８によってファンダクト１１内で同心に保持される空気力学的に成形されたケーシング２６内に配置されている。電気モーター２５は、ケーシング２６の軸方向中心に圧入されてもよく、ネジでその中にロックされてもよい。ケーシング２６の半径／軸方向フランジは、ケーシング２６と電気モーター２５との間の空間に冷却空気が流れることを可能にするために、ケーシング２６の内側マントルから距離を置いてモーターを保持することができる。ファン１３の下流に１つまたは複数の保持部材２８が配置されている。１つまたは複数の保持部材２８は、それぞれ、空気流路１５を通る空気流れ方向に対して角度を有することができ、および／またはそれぞれが、空気流路１５を通る空気流れ方向の翼プロファイルを備えることができ、ファン１３によって生成された空気流を層流に軸方向に向けることができる。純粋に例として、デブリブロワーは、４〜８の範囲内など、１〜１０の範囲内の多数の保持部材２８を含み得る。
【００４２】
隔離要素９、９’、９”のセットは、ファンダクト１１と出口ダクト７との間に延びるファン出口隔離要素９を備える。図示の実施形態によれば、ファン出口隔離要素９は、出口ダクト７の一部の外周全体を覆い、ファンダクト１１の一部の外周全体を覆う。このようにして、ファン出口隔離要素９は、ファンアセンブリ５によって生成される騒音および振動を減衰させ、空気流路１５を通る空気の流れによって生成される騒音および振動を減衰させ、出口ダクト７に対してファンアセンブリ５の支持を提供し、したがって、ハウジング３に対してファンアセンブリ５の支持も提供する。
【００４３】
図示の実施形態によれば、ファン出口隔離要素９の内面９．１は、デブリブロワーを通る空気流路１５の一部を区切る。これにより、空気流路１５を通る空気の流れによって発生する騒音および振動が効率的に減衰される。図示の実施形態によれば、ファン出口隔離要素９は、ファン出口隔離要素９によって形成される空気流路１５の一部の全周に沿って延びる。さらに、図２に示すように、ファン出口隔離要素９の内面９．１は、ファンダクト１１の内面１１．１からファン出口隔離要素９の内面９．１への移行領域において、ファンダクト１１の内面１１．１と同一平面上にある。このようにして、移行領域１５’は、空気流路１５を通る空気の流れを乱さない。さらに、図示の実施形態によれば、ファン出口隔離要素９の内面９．１は、ファン出口隔離要素９の内面９．１から出口ダクト７の内面７．１の移行領域において出口ダクト７の内面７．１と同一平面上にある。このように、この移行領域もまた、空気流路１５を通る空気の流れを乱さない。
【００４４】
図示の実施形態によれば、入口ダクト１７は、ハウジング３にしっかりと取り付けられている。ただし、ファンアセンブリ５は、隔離要素９、９’、９”のセットを介して、入口ダクト１７に対して完全に吊り下げられている。図示の実施形態によれば、隔離要素９、９’、９”のセットは、入口ダクト１７とファンダクト１１との間に延びるファン入口隔離要素９’を備える。さらに、図示の実施形態によれば、ファン入口隔離要素９’は、入口ダクト１７の一部の外周全体を覆い、ファンダクト１１の一部の外周全体を覆う。このようにして、ファン入口隔離要素９’は、ファンアセンブリ５によって生成される騒音および振動を減衰させ、空気流路１５を通る空気の流れによって生成される騒音および振動を減衰させ、入口ダクト１７に対して、したがって、ハウジング３に対してファンアセンブリの支持を提供する。
【００４５】
図示の実施形態によれば、ファン入口隔離要素９’の内面９．２は、デブリブロワーを通る空気流路１５の一部を区切る。これにより、空気流路１５を通る空気の流れによって発生する騒音および振動が効率的に減衰される。さらに、図示の実施形態によれば、ファン入口隔離要素９’は、ファン入口隔離要素９’によって形成される空気流路１５の一部の全周に沿って延びる。入口ダクト１７は、空気入口スクリーン１９を備える。さらに、図２に示すように、ファン入口隔離要素９’の内面９．２は、ファン入口隔離要素９’の内面９．２からファンダクト１１の内面１１．１への移行領域１５”において、ファンダクト１１の内面１１．１と同一平面上にある。このようにして、移行領域１５’は、空気流路１５を通る空気の流れを乱さない。さらに、図示の実施形態によれば、ファン入口隔離要素９’の内面９．２は、２は、入口ダクト１７の内面１７．２からファン入口隔離要素９’の内面９．２への移行領域において入口ダクト１７の内面１７．２と同一平面上にある。このように、この移行領域もまた、空気流路１５を通る空気の流れを乱さない。
【００４６】
図示の実施形態によれば、ファン入口隔離要素９’によって形成される空気流路１５の一部分は、ファンダクト１１の幅と実質的に同じ幅ｗを有し、幅ｗは、空気流路を通る空気の流れ方向１５に垂直な方向で測定される。同様に、図示の実施形態によれば、ファン出口隔離要素９によって形成される空気流路１５の一部分は、ファンダクト１１の幅と実質的に同じ幅を有する。これにより、ファン１３は、空気流路１５を介して効率的に空気を送り出すことができ、空気流路１５を通る流れ抵抗は低く保たれる。また、空気流路１５内の乱気流に起因する騒音や振動を低く抑えることができる。
【００４７】
いくつかのさらなる実施形態によれば、ファン入口隔離要素９’によって形成される空気流路１５の一部分は、ファンダクト１１よりも広い幅ｗを有する。さらに、入口ダクト１７は、ファンダクト１１よりも広い幅ｗを有することができる。ただし、これらの実施形態において、ファン入口隔離要素９’の内面９．２は、ファン入口隔離要素９’の内面９．２からファンダクト１１の内面１１．１への移行領域１５”においてファンダクト１１の内面１１．１と同一平面であり得る。同様に、ファン入口隔離要素９’の内面９．２は、入口ダクト１７の内面１７．２からファン入口隔離要素９’の内面９．２への移行領域において入口ダクト１７の内面１７．２と同一平面であり得る。これらの特徴により、空気流路１５を通る流れ抵抗をさらに下げることができる。
【００４８】
図示の実施形態によれば、隔離要素９、９’、９”のセットは、ファンアセンブリ５の円周の少なくとも一部を取り囲む、すなわちファンアセンブリ５のファンダクト１１の円周の少なくとも一部を取り囲む円周方向隔離要素９”を備える。このようにして、ファンアセンブリ５によって発生する騒音および振動がさらに減衰される。図示の実施形態によれば、円周方向隔離要素９”は、ファンアセンブリ５の円周の略全部分を取り囲む、すなわち、ファンアセンブリ５のファンダクト１１の円周の略全部分を取り囲む。
【００４９】
図２に示される実施形態によれば、円周方向隔離要素９”は、ハウジング３とファンアセンブリ５のファンダクト１１との間に圧入されている。このようにして、円周方向隔離要素９”は、ハウジング３内のファンアセンブリを支持し、頑丈なデブリブロワーが提供され、ファンアセンブリ５によって生成される騒音および振動は、効率的な方法で減衰される。
【００５０】
図３は、概略的に、いくつかのさらなる実施形態によるデブリブロワーのハウジング３の断面図を示す。これらの実施形態によるデブリブロワーは、以下に説明するいくつかの例外を除き、図１及び図２を参照して説明されたデブリブロワー１と同じ構成要素、特徴、及び利点を含む。
【００５１】
図３に示される実施形態によれば、出口ダクト７は、ハウジング３にしっかりと取り付けられていない。代わりに、ファン出口隔離要素９の一部は、ハウジング３と出口ダクト７との間に圧入されている。このようにして、出口ダクト７は、ファン出口隔離要素９によってハウジング３に対して所定の位置に保持される。これにより、ファンアセンブリ５から出口ダクト７に伝達される騒音および振動がさらに少なくなる可能性がある。同様に、図３に示される実施形態によれば、入口ダクト１７は、ハウジング３にしっかりと取り付けられていない。代わりに、ファン入口隔離要素９’の一部は、ハウジング３と入口ダクト１７との間に圧入されている。このようにして、入口ダクト１７は、ファン入口隔離要素９’によってハウジング３に対して所定の位置に保持される。これにより、ファンアセンブリ５から入口ダクト１７に伝達される騒音および振動がさらに少なくなる可能性がある。
【００５２】
さらに、図３に示される実施形態によれば、デブリブロワーは、それぞれが円周方向隔離要素９”のそれぞれのセクション、ファン出口隔離の要素９のそれぞれのセクション、およびファン入口隔離要素９’のそれぞれのセクションを含む隔離材料の２つの連続部品２１’、２１”を備える。すなわち、図示の実施形態によれば、円周方向隔離要素９”の第１のセクション、ファン出口隔離要素９の第１のセクション、およびファン入口隔離要素９’の第１のセクションは、隔離材料の第１の連続部品２１’に一体的に形成されている。さらに、円周方向隔離要素９”の第２のセクション、ファン出口隔離要素９の第２のセクション、およびファン入口隔離要素９’の第２のセクションは、隔離材料の第２の連続部品２１”に一体的に形成される。図示の実施形態によれば、隔離要素９、９’、９”の第１および第２のセクションは、それぞれの隔離要素９、９’、９”の第１および第２の半体を構成する。隔離材料の２つの連続部品２１’、２１”は共に管状構造２１を形成する。さらなる実施形態によれば、これらの隔離要素９、９’、９”のうちの１つまたは複数は、別個の隔離要素９、９’、９”であり得る。
【００５３】
図４は、図３に示されている実施形態によるデブリブロワーの管状構造２１の断面を示す。以下では、図３と図４を同時に参照する。管状構造２１の内面２１．１は、第１の凹部２３を備える。図３に示すファンアセンブリ５は、図４に示す第１の凹部２３内にぴったりとはめ込まれている。
【００５４】
さらに、図４に示される実施形態によれば、管状構造２１の内面２１．１は、第２の凹部２３’を備える。図３に示されている入口ダクト１７の一部は、図４に示されている第２の凹部２３’にぴったりとはめ込まれている。
【００５５】
さらに、図４に示される実施形態によれば、管状構造２１は、第３の凹部２３”を含む。図３に示されている出口ダクト７の一部は、図４に示されている第３の凹部２３”にぴったりとはめ込まれている。
【００５６】
このようにして、ファンアセンブリ５、入口ダクト１７、および出口ダクト７は、簡単かつ効率的な方法でハウジング３に対して所定の位置に保持され、ファンアセンブリ５およびデブリブロワーを通る空気流路を通る空気の流れによって引き起こされる騒音および振動は、効率的な方法で減衰される。さらに、これらの機能により、以下でさらに説明するように、簡単で費用効果の高い方法で組み立てることができるデブリブロワーが提供される。
【００５７】
管状構造２１は、デブリブロワーの組み立てプロセスにおいて、隔離材料の２つ以上の連続部品２１’、２１”を組み立ておよび／または接合することによって形成することができる。図示の実施形態によれば、管状構造２１は、隔離材料の第１の部品２１’および隔離材料の第２の部品２１”を含む。さらに、隔離材料の第１および第２の連続部品２１’、２１”は、デブリブロワーを通る空気流路内の気流方向に沿って延びる分離面２４に沿って互いに取り付けられるように配置され、それによって共に管状構造２１を形成する。図示の実施形態によれば、分離面２４は、デブリブロワーを通る空気流路の中心線に沿って延在し、これにより、デブリブロワーの組み立てがさらに容易になり得る。さらに、ハウジング３は、２つ以上のハウジング部品を含み得る。
【００５８】
デブリブロワーの組み立てプロセスでは、隔離材料の第１の部品２１’を第１のハウジング部分に配置することができる。次に、ファンアセンブリ５は、隔離材料の第１の部品２１’の第１の凹部２３に配置され得、入口ダクト１７の一部分は、隔離材料の第１の部品２１’の第２の凹部２３’に配置され得、出口ダクト７の一部分は、隔離材料の第１の部品２１’の第３の凹部２３”に配置され得る。次に、隔離材料の第２の部品２１”をこれらのコンポーネントに配置され得る。この組み立てステップでは、ファンアセンブリ５のモーターへの電気配線が、隔離材料の第１および第２の連続部品２１’、２１”の間のインターフェースを通って延びることを確実にすることができる。隔離材料の第１および第２の連続部品２１’、２１”は、例えば、接着剤を使用して分離面２４に沿って互いに接合することができる。次に、第２のハウジング部品を第１のハウジング部品に取り付けることができる。いくつかの実施形態によれば、管状構造２１を形成する隔離材料の連続部品２１’、２１”は、互いに結合されず、代わりに、ハウジング３によって、互いに対して組み立てられ、互いに対して保持することができる。
【００５９】
上記の組み立てステップの少なくともいくつかを使用してデブリブロワーを組み立てることにより、デブリブロワーを簡単かつ費用効果の高い方法で組み立てることができる。
【００６０】
図５は、いくつかのさらなる実施形態による、デブリブロワーのハウジング３を通る断面を概略的に示す。これらの実施形態によれば、出口ダクト７および入口ダクト１７は、それぞれ、ハウジング３にしっかりと取り付けられている。これらの実施形態によるデブリブロワーは、以下に説明するいくつかの例外を除き、図１及び図２を参照して説明されたデブリブロワー１と同じ構成要素、特徴、及び利点を含む。
【００６１】
図５に示される実施形態によれば、隔離要素９、９’、９”、９’’’のセットは、出口ダクト７の内面７．１を覆う出口ダクト被覆加工部９’’’を含む。さらに、図５に示される実施形態によれば、デブリブロワーは、ファン出口隔離要素９のそれぞれのセクション、ファン入口隔離要素９’のそれぞれのセクション、円周方向隔離要素９”のそれぞれのセクション、および出口ダクト被覆加工部９’’’のそれぞれのセクションをそれぞれ含む、隔離材料の２つの連続部品２１’、２１”を備える。隔離材料の２つの連続部品２１’、２１”は共に管状構造２１を形成する。さらなる実施形態によれば、これらの隔離要素９、９’、９”、９’’’のうちの１つまたは複数は、別個の隔離要素９、９’、９”、９’’’であり得る。さらに別の実施形態によれば、デブリブロワーは、ファン出口隔離要素９のそれぞれのセクションおよび出口ダクト被覆加工部９’’’のそれぞれのセクションをそれぞれ含む、隔離材料の１つまたは複数の連続部品２１’、２１”を含み得る。
隔離材料のそのような１つまたは複数の連続部品２１’、２１”は、共に管状構造を形成し得る。さらに、デブリブロワーは、それぞれが円周方向隔離要素９”のそれぞれのセクション、ファン出口隔離要素９のそれぞれのセクション、および出口ダクト被覆加工部の９’’’のそれぞれのセクションを含む、隔離材料の１つまたは複数の連続部品２１’、２１”を含み得る。隔離材料のそのような１つまたは複数の連続部品２１’、２１”は、共に管状構造を形成し得る。図５に示される実施形態によれば、円周方向隔離要素９”は、ハウジング３とファンアセンブリ５との間に圧入されている。
【００６２】
図６は、図５に示される実施形態によるデブリブロワーの管状構造２１の断面を示す。以下では、図５と図６を同時に参照する。管状構造２１の内面２１．１は、第１の凹部２３を含み、ファンアセンブリ５は、第１の凹部２３にぴったりとはめ込まれている。
【００６３】
さらに、図６に示される実施形態によれば、管状構造２１の内面２１．１は、第２の凹部２３’を含む。入口ダクト１７の一部は、第２の凹部２３’にぴったりと保持されている。
【００６４】
さらに、図６に示される実施形態によれば、管状構造２１の外面２１．２は、第３の凹部２３”を含む。出口ダクト７は、第３の凹部２３”に配置され、第３の凹部２３”にぴったりと保持され得る。
【００６５】
図５および図６に示される実施形態によれば、管状構造２１は、隔離材料の第１の部品２１’および隔離材料の第２の部品２１”を備える。図示の実施形態によれば、隔離材料の第１および第２の連続部品２１’、２１”は、デブリブロワーを通る空気流路内の空気流方向に沿って延びる分離面２４に沿って互いに取り付けられるように配置され、それにより、共に管状構造２１を形成する。さらに、ハウジング３は、２つ以上のハウジング部品を含み得る。図示の実施形態によれば、分離面２４は、デブリブロワーを通る空気流路の中心線に沿って延在し、これにより、デブリブロワーの組み立てがさらに容易になり得る。
【００６６】
デブリブロワーの組み立てプロセスでは、隔離材料の第１の部品２１’を第１のハウジング部分に配置することができる。次に、ファンアセンブリ５は、隔離材料の第１の部品２１’の第１の凹部２３に配置され得、入口ダクト１７の一部分は、隔離材料の第１の部品２１’の第２の凹部２３’に配置され得る。次に、隔離材料の第２の部品２１”をこれらの構成要素に配置することができる。この組み立てステップでは、ファンアセンブリ５のモーターへの電気配線が、隔離材料の第１および第２の連続部品２１’、２１”の間のインターフェースを通って延びることを確実にすることができる。隔離材料の第１および第２の連続部品２１’、２１”は、例えば、接着剤を使用して分離面２４に沿って互いに接合することができる。次に、出口ダクト７は、管状構造２１の第３の凹部２３”に配置され得る。次に、第２のハウジング部品を第１のハウジング部品に取り付け、ハウジング３を、例えば接着剤またはネジなどの固定要素を使用して、出口ダクト７に固定することができる。いくつかの実施形態によれば、管状構造２１を形成する隔離材料の連続部品２１’、２１”は、互いに結合されず、代わりに、互いに対して組み立てられ、ハウジング３によって、および出口ダクト７によって互いに対して保持することができる。
【００６７】
上記の組み立てステップの少なくともいくつかを使用してデブリブロワーを組み立てることにより、デブリブロワーを簡単かつ費用効果の高い方法で組み立てることができる。
本開示のすべての実施形態によれば、隔離要素９、９’、９”、９’’’は、ポリウレタンフォームなどの発泡ゴムを含み得る。したがって、２つ以上の隔離要素９、９’、９”、９’’’は、ポリウレタンフォームなどの発泡ゴムの１つまたは複数の連続部品２１’、２１”に含まれ得る。したがって、発泡ゴムのそのような１つまたは複数の連続部品２１’、２１”は、共に、ポリウレタン発泡体などの発泡ゴムの管状構造２１を形成することができる。
【００６８】
さらに、本開示のすべての実施形態によれば、発泡ゴムの厚さは、７ｍｍから５０ｍｍの範囲内、例えば、１０ｍｍから３５ｍｍの範囲内であり得る。発泡ゴムの厚みは、デブリブロワーを通る流路の流れ方向に垂直な方向で測定される。
【００６９】
さらに、本開示のいくつかの実施形態によれば、ファンダクト１１は、半径方向のファンダクト１１に延びる１つまたは複数の突起を備える。そのような１つまたは複数の突起は、ファンダクト１１を円周方向隔離要素９”に形状適合的に半径方向、接線方向、および／または軸方向にロックすることができる。
【００７０】
さらに、本開示のいくつかの実施形態によれば、出口ダクト７、ファンダクト１１および入口ダクト１７のうちの１つまたは複数は管状である。したがって、本開示全体を通して、「出口ダクト」という用語は「出口管」という用語に置き換えられ、「入口ダクト」という用語は「入口管」という用語に置き換えられ、「ファンダクト」という用語は「ファン管」という用語に置き換えられる。さらに、本開示全体を通して、「ファンダクト」という表現は、「ステーター」または「ファンステーター」という表現に置き換えることができる。いくつかの実施形態によれば、本明細書で言及されるハウジング３は、フレームによって置き換えられ得る。したがって、本開示全体を通して、「ハウジング」という用語を「フレーム」という用語に置き換え、「ハウジング部分」という用語を「フレーム部分」という用語に置き換えることができる。
【００７１】
前述のことは、様々な例示的な実施形態の例示であり、本発明は、添付の特許請求の範囲によってのみ定義されることを理解されたい。当業者は、例示的な実施形態を変更することができ、例示的な実施形態の異なる特徴を組み合わせて、以下によって定義される本発明の範囲から逸脱することなく、本明細書に記載されるもの以外の実施形態を作成できることを理解するだろう。
【００７２】
本明細書で使用される場合、「含む」または「備える」という用語は開放的であり、１つまたは複数の記載された特徴、要素、ステップ、構成要素または機能を含むが、１つまたは複数の他の特徴、要素、ステップ、構成要素、機能、またはそれらのグループの存在または追加を排除するものではない。
【符号の説明】
【００７３】
１  デブリブロワー
２  出口ノズル
３  ハウジング
４  ベローズ部分
５  ファンアセンブリ
６  ハンドル部分
７  出口ダクト
８  第２のハウジング
９  隔離要素
９  ファン出口隔離要素
９’  ファン入口隔離要素
９’’  円周方向隔離要素
９’’’  出口ダクト被覆加工部
１０  フレーム
１１  ファンダクト
１３  ファン
１５  空気流路
１５’  移行領域
１７  入口ダクト
１９  空気入口スクリーン
２１  管状構造
２１’  第１の部品
２１”  第２の部品
２３  第１の凹部
２３’  第２の凹部
２３”  第３の凹部
２４  分離面
２５  電気モーター
２６  ケーシング
２８  保持部材
３７  バッテリー
【図１】
2021521374.tif 000003
【図２】
2021521374.tif 000004
【図３】
2021521374.tif 000005
【図４】
2021521374.tif 000006
【図５】
2021521374.tif 000007
【図６】
2021521374.tif 000008
【国際調査報告】
2021521374.tif 000009
2021521374.tif 000010
2021521374.tif 000011